(57)【要約】【課題】コネクタハウジングに別部品を追加することなく端子収容室内での端子のガタツキを確実に抑え、端子の損傷を防ぐことができるコネクタを提供すること。【解決手段】両側面に突設された一対のガイド突起２０、２０を有する端子１０と、端子１０を端子収容室４１の弾性係止片４２が設けられた内壁面４１ｃに対向する対向内壁面４１ｅに対して対向内壁面４１ｅに向かい合う端子１０の一面１４ａとの間に隙間を空けた位置から、弾性係止片４２によって係止され、かつ、一面１４ａが対向内壁面４１ｅに当接する位置に端子収容室４１内への挿入方向Ｄに沿って移動するように一対のガイド突起２０、２０の各ガイド突起２０をガイドする一対のガイド溝５０、５０が端子収容室４１内に設けられたコネクタハウジング３０と、を有する。【選択図】図６
2019023959.tif 000002
【特許請求の範囲】
【請求項１】
両側面に突設された一対のガイド突起を有する端子と、
前記端子を端子収容室の弾性係止片が設けられた内壁面に対向する対向内壁面に対して前記対向内壁面に向かい合う前記端子の一面との間に隙間を空けた位置から、前記弾性係止片によって係止され、かつ、前記一面が前記対向内壁面に当接する位置に前記端子収容室内への挿入方向に沿って移動するように前記一対のガイド突起の各ガイド突起をガイドする一対のガイド溝が前記端子収容室内に設けられたコネクタハウジングと、
を有することを特徴とするコネクタ。
【請求項２】
前記一対のガイド突起の各ガイド突起は、
前記端子の前記端子収容室への挿入方向に平行な上側被ガイド面および下側被ガイド面が上下の面に形成されており、
前記一対のガイド溝の各ガイド溝は、
溝の幅方向の上下で向かい合う上側ガイド内縁面、および、下側ガイド内縁面を有し、
前記上側ガイド内縁面は、
前記対向内壁面と一定の間隔をあけて前記端子収容室の端子挿入口から溝終端まで直線状に設けられ、
前記下側ガイド内縁面は、
前記端子挿入口から前記弾性係止片による係止完了位置周辺まで溝幅が大きい区間を形成し、係止完了位置周辺で溝幅が一段小さく変化されて溝終端まで溝幅が小さい区間を形成するように端子の挿入方向に向けて上り傾斜状のガイド傾斜面が形成され、
前記端子が前記一対のガイド溝の前記溝幅が小さい区間で前記弾性係止片によって係止され、かつ、前記一面が前記対向内壁面に当接される
ことを特徴とする請求項１に記載のコネクタ。
【請求項３】
前記一対のガイド溝は、
前記溝幅が小さい区間での溝幅が前記一対のガイド突起の厚さよりも僅かに大きい幅である
ことを特徴とする請求項２に記載のコネクタ。
【発明の詳細な説明】
【技術分野】
【０００１】
本発明は、コネクタハウジングに設けられた端子収容室内に弾性係止片によって端子が係止されるコネクタに関する。
【背景技術】
【０００２】
従来、コネクタは、端子収容室内に収容された端子を弾性係止片によって所定位置に係止するようになっている。
【０００３】
例えば、特許文献１には、フロントリテーナの一部が、端子収容室内に設けられた弾性係止片の周辺で端子と端子収容室の内壁面との間の隙間を塞ぐように配置されることによって端子収容室内での端子のガタツキが抑えられたコネクタが記載されている。
【０００４】
また、特許文献２には、端子が弾性係止片の撓み方向へ移動するのを規制するように支持する支持突起が設けられたコネクタ、あるいは、端子から突設した被支持突部が、端子収容室のうち弾性係止片の撓み方向に沿った内壁面に凹み形成した支持溝部に嵌合されることで、端子が弾性係止片の撓み方向へ傾動するのを規制するコネクタが記載されている。
【先行技術文献】
【特許文献】
【０００５】
【特許文献１】特開２０１１−２２８２０３号公報
【特許文献２】特開２００４−６３０７８号公報
【発明の概要】
【発明が解決しようとする課題】
【０００６】
しかしながら、特許文献１に記載のコネクタは、コネクタハウジングとは別部品のフロントリテーナが必要となり部品点数が増え、結果的にコストが増加してしまう問題がある。
【０００７】
また、特許文献２に記載のコネクタは、支持突起が端子収容室の内面の前端角部に配置され、あるいは、被支持突起が端子の側壁の一部に設けられ、支持突起、および、被支持突起ともに端子の一部という狭い部分でしか支持できないため、端子のガタツキを確実に抑えることが難しく、結果的に、相手端子を端子に接続する際、相手端子を端子との接触部分とは異なる部分にぶつけてしまい、端子を損傷させてしまうおそれがあった。
【０００８】
本発明は、上記に鑑みてなされたものであって、コネクタハウジングに別部品を追加することなく端子収容室内での端子のガタツキを確実に抑え、端子の損傷を防ぐことができるコネクタを提供することを目的とする。
【課題を解決するための手段】
【０００９】
上述した課題を解決し、目的を達成するために、本発明の請求項１に係るコネクタは、両側面に突設された一対のガイド突起を有する端子と、前記端子を端子収容室の弾性係止片が設けられた内壁面に対向する対向内壁面に対して前記対向内壁面に向かい合う前記端子の一面との間に隙間を空けた位置から、前記弾性係止片によって係止され、かつ、前記一面が前記対向内壁面に当接する位置に前記端子収容室内への挿入方向に沿って移動するように前記一対のガイド突起の各ガイド突起をガイドする一対のガイド溝が前記端子収容室内に設けられたコネクタハウジングと、を有することを特徴とする。
【００１０】
また、本発明の請求項２に係るコネクタは、上記の発明において、前記一対のガイド突起の各ガイド突起が、前記端子の前記端子収容室への挿入方向に平行な上側被ガイド面および下側被ガイド面が上下の面に形成されており、前記一対のガイド溝の各ガイド溝は、溝の幅方向の上下で向かい合う上側ガイド内縁面、および、下側ガイド内縁面を有し、前記上側ガイド内縁面が、前記対向内壁面と一定の間隔をあけて前記端子収容室の端子挿入口から溝終端まで直線状に設けられ、前記下側ガイド内縁面が、前記端子挿入口から前記弾性係止片による係止完了位置周辺まで溝幅が大きい区間を形成し、係止完了位置周辺で溝幅が一段小さく変化されて溝終端まで溝幅が小さい区間を形成するように端子の挿入方向に向けて上り傾斜状のガイド傾斜面が形成され、前記端子が前記一対のガイド溝の前記溝幅が小さい区間で前記弾性係止片によって係止され、かつ、前記一面が前記対向内壁面に当接されることを特徴とする。
【００１１】
また、本発明の請求項３に係るコネクタは、上記の発明において、前記一対のガイド溝が、前記溝幅が小さい区間での溝幅が前記一対のガイド突起の厚さよりも僅かに大きい幅であることを特徴とする。
【発明の効果】
【００１２】
本発明の請求項１に係るコネクタは、前記端子に設けた前記一対のガイド突起を前記コネクタハウジングに設けた一対のガイド溝によってガイドして前記端子収容室内への挿入方向に沿って移動することによって、前記端子を端子収容室の弾性係止片が設けられた内壁面に対向する対向内壁面に対して前記対向内壁面に向かい合う前記端子の一面との間に隙間を空けた位置から、前記弾性係止片によって係止され、かつ、前記一面が前記対向内壁面に当接する位置に配置される。このため、前記端子は、前記一対のガイド突起を介して、前記一面という広い範囲を前記対向内壁面に当接させることができるので、ガタツキのない高い安定度で係止完了位置に保持される。これにより、前記端子収容室の開口から挿入された相手端子の挿入方向前方側には前記端子の開口を構成する壁が干渉されず、相手端子は、前記端子にぶつかることなく前記端子との接続部分まで挿入される。従って、本発明の請求項１に係るコネクタは、コネクタハウジングに別部品を追加することなく端子収容室内での端子のガタツキを確実に抑え、端子の損傷を防ぐことができる。
【００１３】
本発明の請求項２に係るコネクタは、一対のガイド突起の前記上側被ガイド面および前記下側被ガイド面が前記端子の挿入方向に平行な面に形成されている。また、前記一対のガイド溝の前記上側ガイド内縁面が前記端子収容室の端子挿入口から溝終端まで直線状に設けられている。さらに、前記一対のガイド溝の前記下側ガイド内縁面に傾斜状のガイド傾斜面が形成されることによって溝幅が大きい区間と、係止完了位置周辺で溝幅が一段小さく変化された溝幅が小さい区間とを形成され、前記端子が前記一対のガイド溝の前記溝幅が小さい区間で前記弾性係止片によって係止され、かつ、前記一面が前記対向内壁面に当接されるようにしている。このため、本発明の請求項２に係るコネクタは、簡易な構成でコネクタハウジングに別部品を追加することなく端子収容室内での端子のガタツキを確実に抑え、端子の損傷を防ぐことができる。
【００１４】
本発明の請求項３に係るコネクタは、前記一対のガイド溝が前記溝幅が小さい区間での溝幅が前記一対のガイド突起の厚さよりも僅かに大きい幅であるので、前記一対のガイド突起が各ガイド溝の前記上側ガイド内縁面と前記下側ガイド内縁面との間に挟まれた状態になっている。このため、本発明の請求項３に係るコネクタは、前記端子を係止完了位置でより安定的に保持することができる。
【図面の簡単な説明】
【００１５】
【図１】図１は、本発明の実施例に係るコネクタの分解斜視図である。
【図２】図２は、端子付き電線の斜視図である。
【図３】図３は、図２に示した端子を相手端子挿入口側から視た図である。
【図４】図４は、端子収容室の断面図である。
【図５】図５は、（ａ）が一対のガイド溝の溝幅大区間で端子の挿入方向に直交する方向で切断した端子収容室の断面と端子収容室内に配置された端子とを示した図であり、（ｂ）が一対のガイド溝の溝幅小区間で端子の挿入方向に直交する方向で切断した端子収容室の断面と端子収容室内に配置された端子とを示した図である。
【図６】図６は、端子が端子収容室内の弾性係止片による係止完了位置までガイド溝によってガイドされる様子を示した図ある。
【図７】図７は、相手端子が端子にぶつかることなく端子収容室内の端子の相手端子挿入口内に挿入される様子を示した図である。
【図８】図８は、変形例の端子を説明するための図ある。
【発明を実施するための形態】
【００１６】
以下、図面を参照して、本発明に係るコネクタの好適な実施例を詳細に説明する。
【実施例】
【００１７】
図１は、本発明の実施例に係るコネクタ１の分解斜視図である。図２は、端子付き電線９０の斜視図である。図３は、図２に示した端子１０を相手端子挿入口１２ｄ側から視た図である。図４は、端子収容室４１の断面図である。図５は、（ａ）が一対のガイド溝５０、５０の溝幅大区間Ｌ１で端子１０の挿入方向Ｄに直交する方向で切断した端子収容室４１の断面と端子収容室４１内に配置された端子１０とを示した図であり、（ｂ）が一対のガイド溝５０、５０の溝幅小区間Ｌ２で端子１０の挿入方向Ｄに直交する方向で切断した端子収容室４１の断面と端子収容室４１内に配置された端子１０とを示した図である。図６は、端子１０が端子収容室４１内の弾性係止片４２による係止完了位置までガイド溝５０によってガイドされる様子を示した図ある。図７は、相手端子Ｃが端子１０にぶつかることなく端子収容室４１内の端子１０の相手端子挿入口１２ｄ内に挿入される様子を示した図である。
本発明の実施例に係るコネクタ１は、例えば、車載カメラの電気的な接続に用いられるものである。
【００１８】
このコネクタ１は、端子１０が収容される複数の端子収容室４１が設けられたコネクタハウジング３０と、端子収容室４１内に収容される複数の端子１０と、端子収容室４１内に収容された端子１０を係止するスペーサ７０と、コネクタ１が接続される不図示の相手コネクタとの嵌合部分を相手コネクタが嵌合された状態で防水可能に封止するシールリング８０と、を有する。
なお、この実施例では、６つの端子１０が６つの各端子収容室４１に収容されるものを例示したが、端子１０および端子１０の数に対応して設けられる端子収容室４１の数は６つに限らず１つ以上であればよい。
【００１９】
まず、端子１０について説明する。
端子１０は、図２に示すように、電線Ｗの端末部に防水用のゴム栓Ｐとともに取り付けられている。
すなわち、端子１０は、電線Ｗの端末部に取り付けられることによって端子付き電線９０の一部を構成している。
この端子１０は、相手端子Ｃ（図７参照）が接続される部分となる相手端子接続部１１と、電線Ｗに接続される部分となる電線接続部１５と、相手端子接続部１１と電線接続部１５との間を連結する連結部１６と、を有する。
【００２０】
相手端子接続部１１は、底壁１２と、一対の側壁１３、１３と、天井壁１４とを有し、隣り合う壁が略直角に屈曲された４角筒状をなしている。
この相手端子接続部１１は、筒内に相手端子Ｃが挿入されることによって相手端子と接続されるようになっている。
【００２１】
底壁１２は、内面に相手端子Ｃに接続される部分となる弾性接触片１２ａが設けられ、外面に端子収容室４１に設けられた弾性係止片４２の先端部周辺が入り込む切欠き部１２ｂと、切欠き部１２ｂの前側の内縁面１２ｂｂに連続した後端面１２ｃｃを形成された係止突起１２ｃと、が設けられている。
【００２２】
係止突起１２ｃは、図６（ｃ）に示すように、後端面１２ｃｃが、端子１０が端子挿入口４１ａ（図４参照）側に移動された場合に、切欠き部１２ｂに入り込んだ弾性係止片４２の先端部周辺に当接される面を切欠き部１２ｂの前側の内縁面１２ｂｂに加えてさらに拡大させる面になっている。
【００２３】
一対の側壁１３、１３には、各側壁１３の側面に突設された一対のガイド突起２０、２０が設けられている。
【００２４】
ガイド突起２０は、天井壁１４寄りとなる側壁１３の上部に端子１０の挿入方向Ｄに平行な上側被ガイド面２１および下側被ガイド面２２が上下の面として形成され、かつ、外形円弧状に突出されている。
このガイド突起２０は、端子収容室４１への端子１０の挿入方向Ｄで切欠き部１２ｂが形成された領域に設けられている。
【００２５】
天井壁１４は、外面が平面であり、端子収容室４１の弾性係止片４２が設けられた内壁面４１ｃに対向する対向内壁面４１ｅに当接し易いようになっている。
【００２６】
次に、コネクタハウジング３０について説明する。
コネクタハウジング３０は、絶縁性の合成樹脂材からなり、６つの端子収容室４１が設けられた矩形ブロック状の端子収容部４０と、端子収容部４０の相手コネクタとの嵌合側端部外周面との間に間隔をあけて覆うフード部６０と、相手コネクタとの嵌合完了状態をロックする嵌合ロック部６１と、を有する。
【００２７】
端子収容部４０は、６つの端子収容室４１が２行３列に並んで配置されている。
この端子収容室４１は、図４に示すように、端子挿入口４１ａから相手端子Ｃが挿入される相手端子挿入口４１ｂまで貫通された空間を形成している。
また、端子収容室４１は、端子１０の挿入方向Ｄに直交方向の内部壁面形状が端子１０の横断面形状に対応して矩形状をなし、図４中下面側の内壁面４１ｃに弾性係止片４２が設けられている。
【００２８】
弾性係止片４２は、端子収容室４１の下面側の内壁面４１ｃに固定端が設けられ、端子１０と係止される部分となる自由端が先端を斜め前方に向けた状態で弾性的に中立位置になるように端子収容室４１の内壁面４１ｃに突設されている。
【００２９】
また、端子収容室４１は、両側部の内壁面４１ｄ、４１ｄに端子１０の一対のガイド突起２０、２０の各ガイド突起２０をガイドする一対のガイド溝５０、５０が設けられている。
【００３０】
一対のガイド溝５０、５０は、端子１０を端子収容室４１の弾性係止片４２が設けられた内壁面４１ｃに対向する対向内壁面４１ｅに対して隙間を空けた位置から、弾性係止片４２によって係止され、かつ、対向内壁面４１ｅに当接する位置に端子収容室４１内への挿入方向Ｄに沿ってガイドするようになっている。
【００３１】
各ガイド溝５０は、端子収容室４１への端子１０の挿入方向Ｄで、端子挿入口４１ａから端子収容室４１の内方に向けて直線状に形成された溝である。
【００３２】
このガイド溝５０は、図５に示すように、溝深さがガイド突起２０の高さよりも深くなる位置に溝底面５１が形成され、溝の幅方向の上下で向かい合う上側ガイド内縁面５２、および、下側ガイド内縁面５３が、ガイド突起２０をガイドするようになっている。
より具体的には、ガイド溝５０は、下側ガイド内縁面５３がガイド溝５０に嵌め込まれたガイド突起２０の下側被ガイド面２２と向かい合い、上側ガイド内縁面５２がガイド溝５０に嵌め込まれたガイド突起２０の上側被ガイド面２１と向かい合うようになっている。
【００３３】
また、ガイド溝５０は、端子挿入口４１ａから一定の幅で形成されている溝幅が、弾性係止片４２による係止完了位置周辺で一段幅が狭くなるように形成されている。
より具体的には、ガイド溝５０は、上側ガイド内縁面５２が、対向内壁面４１ｅと一定の間隔をあけて端子挿入口４１ａから溝終端まで直線状に設けられている。
【００３４】
また、ガイド溝５０は、下側ガイド内縁面５３が、端子挿入口４１ａから弾性係止片４２による係止完了位置周辺まで溝幅が大きい区間Ｌ１（以下、「溝幅大区間」という。）を形成し、係止完了位置周辺で溝幅が一段小さく変化されて溝終端まで溝幅が小さい区間Ｌ２（以下、「溝幅小区間」という。）を形成するように端子１０の挿入方向Ｄに向けて上り傾斜状のガイド傾斜面５３ａが形成されている。
【００３５】
ガイド溝５０は、溝幅小区間Ｌ２では溝幅がガイド突起２０の厚さより僅かに大きい幅に設定されている。
【００３６】
このような一対のガイド溝５０、５０は、端子１０の一対のガイド突起２０、２０が嵌め込まれた状態で、端子挿入口４１ａから弾性係止片４２による係止完了位置周辺までは天井壁１４の外面１４ａが端子収容室４１の対向内壁面４１ｅとの間に隙間がある状態で端子１０をガイドし、係止完了位置周辺で天井壁１４の外面１４ａが端子収容室４１の対向内壁面４１ｅに当接されるように端子１０をガイドするようになっている。
【００３７】
なお、溝幅小区間Ｌ２に配置された端子１０は、一対のガイド突起２０の下側被ガイド面２２が各ガイド溝５０の下側ガイド内縁面５３によって天井壁１４の外面１４ａを対向内壁面４１ｅに当接させる力を受けることによって、対向内壁面４１ｅと一対の下側ガイド内縁面５３との間に挟まれた状態になり、係止完了位置にガタツキなく安定的に保持されるようになっている。
しかも、溝幅小区間Ｌ２に配置された端子１０は、一対のガイド突起２０を介して、天井壁１４の外面１４ａという広い範囲を対向内壁面４１ｅに当接させることができるので、高い安定度で係止完了位置に保持されるようになっている。
【００３８】
また、各ガイド溝５０が溝幅小区間Ｌ２では溝幅が各ガイド突起２０の厚さより僅かに大きい幅に設定されているので、各ガイド突起２０が各ガイド溝５０の上側ガイド内縁面５２と下側ガイド内縁面５３との間に挟まれた状態になっている。
このため、溝幅小区間Ｌ２に配置された端子１０は、係止完了位置で安定的に保持されるようになっている。
【００３９】
スペーサ７０は、コネクタハウジング３０とは別部品として構成され、コネクタハウジング３０に設けられた端子収容室４１に通じる開口を通して装着されることによって、端子収容室４１内に収容された各端子１０を係止するようになっている。
すなわち、スペーサは、端子収容室４１に設けられた弾性係止片４２と合わせて端子１０を係止する２重係止の機能をなしている。
【００４０】
シールリング８０は、ゴム等の環状弾性材からなり、端子収容部４０の基端位置に固定される。
【００４１】
次に、端子１０を端子収容室４１にセットする手順を端子１０が一対のガイド溝５０、５０によって弾性係止片４２による係止完了位置にガイドされる様子を含めて説明する。
まず、作業者は、一対のガイド溝５０、５０に端子１０の一対のガイド突起２０、２０を嵌め込みつつ端子挿入口４１ａに端子１０を挿入する。
【００４２】
その後、作業者は、端子収容室４１の内方に向けて端子１０を押し込むと、端子１０は、端子挿入口４１ａから弾性係止片４２による係止完了位置に向けて、一対のガイド溝５０、５０の溝幅大区間Ｌ１に沿って移動される（図６（ａ）参照）。
このように、端子１０は、溝幅大区間Ｌ１を移動している間は、天井壁１４の外面１４ａが端子収容室４１の対向内壁面４１ｅとの間に隙間Ｓがある状態で移動しているため、挿入抵抗を小さく抑えた状態で端子収容室４１内を一対のガイド溝５０、５０にガイドされながら移動する。
【００４３】
作業者が、端子１０を端子収容室４１の内方に向けてさらに押し込むと、端子１０は、弾性係止片４２に接触し、弾性接触片４２が弾性変形して撓むことによって受ける反力によって上方に押し上げられた状態で移動（図６（ｂ）参照）する。このような状態で端子１０が係止完了位置周辺に到達されると、弾性係止片４２が端子１０の切欠き部１２ｂ内に入り込み、弾性係止片４２によって端子１０が係止された状態になる。
【００４４】
作業者は、端子１０を弾性係止片４２によって端子１０が係止された状態からさらにオーバーストローク分の距離Ａだけ内方に移動し、端子１０の先端面が端子収容室４１の終端面となる内壁面に突き当たるまで端子収容室４１内に押し込むと、端子１０が端子収容室４１内にセット完了される（図６（ｃ）参照）。
この端子１０を端子収容室４１に押し込む作業では、一対のガイド突起２０、２０がガイド傾斜面５３ａにガイドされて、端子１０が一対のガイド溝５０、５０の溝幅大区間Ｌ１から溝幅小区間Ｌ２に移動位置される。
このため、端子１０は、天井壁１４の外面１４ａを端子収容室４１の対向内壁面４１ｅに当接させた状態、すなわち、弾性係止片４２が設けられた端子収容室４１の内壁面４１ｃに対向する対向内壁面４１ｅに天井壁１４の外面１４ａを当接させた状態で弾性係止片４２に係止される。
なお、コネクタ１は、図６（ｃ）に示すように、端子１０が端子収容室４１内にセット完了された状態で、端子１０の一対のガイド突起２０、２０が溝幅小区間Ｌ２の各ガイド溝５０内にある部分の距離Ｂがオーバーストローク分の距離Ａよりも大きくなるように設定されている。
このように距離Ｂを設定することによって、端子１０が、図６（ｃ）中、矢印Ｆ方向に引っ張られることによって、矢印Ｆ方向にオーバーストローク分の距離Ａだけ移動した場合であっても、一対のガイド突起２０、２０を幅小区間Ｌ２の各ガイド溝５０内に保持することができるようになっている。
【００４５】
このようにして、端子１０が対向内壁面４１ｅに天井壁１４の外面１４ａを当接させた状態で係止されると、図７に示すように、端子収容室４１の相手端子挿入口４１ｂから挿入された相手端子Ｃの挿入方向前方側には端子１０の相手端子挿入口１２ｄの開口を構成する天井壁１４が干渉されないようになっている。
このため、相手端子Ｃは、端子１０にぶつかることなく端子１０との接続部分まで挿入される。
【００４６】
本発明の実施例に係るコネクタ１は、端子１０に設けた一対のガイド突起２０、２０をコネクタハウジング３０に設けた一対のガイド溝５０、５０によってガイドして端子収容室４１内への挿入方向Ｄに沿って移動することによって、端子１０を端子収容室４１の弾性係止片４２が設けられた内壁面４１ｃに対向する対向内壁面４１ｅに対して対向内壁面４１ｅに向かい合う端子１０の一面１４ａとの間に隙間を空けた位置から、弾性係止片４２によって係止され、かつ、一面１４ａが対向内壁面４１ｅに当接する位置に配置される。このため、端子１０は、一対のガイド突起２０、２０を介して、一面１４ａという広い範囲を対向内壁面４１ｅに当接させることができるので、ガタツキのない高い安定度で係止完了位置に保持される。これにより、端子収容室４１の相手端子挿入口４１ｂから挿入された相手端子Ｃの挿入方向前方側には端子１０の相手端子挿入口１２ｄを構成する壁が干渉されず、相手端子Ｃは、端子１０にぶつかることなく端子１０との接続部分まで挿入される。従って、本発明の請求項１に係るコネクタ１は、コネクタハウジング３０に別部品を追加することなく端子収容室４１内での端子１０のガタツキを確実に抑え、端子１０の損傷を防ぐことができる。
【００４７】
また、本発明の実施例に係るコネクタ１は、一対のガイド突起２０、２０の上側被ガイド面２１および下側被ガイド面２２が端子１０の挿入方向に平行な面に形成されている。また、一対のガイド溝５０、５０の上側ガイド内縁面５２が端子収容室４１の端子挿入口４１ａから溝終端まで直線状に設けられている。さらに、一対のガイド溝５０、５０の下側ガイド内縁面５３に傾斜状のガイド傾斜面５３ａが形成されることによって溝幅大区間Ｌ１と、係止完了位置周辺で溝幅が一段小さく変化された溝幅小区間Ｌ２とが形成され、端子１０が一対のガイド溝５０、５０の溝幅小区間Ｌ２で弾性係止片４２によって係止され、かつ、一面１４ａが対向内壁面４１ｅに当接されるようにしている。このため、本発明の実施例に係るコネクタ１は、簡易な構成でコネクタハウジング３０に別部品を追加することなく端子収容室４１内での端子のガタツキを確実に抑え、端子１０の損傷を防ぐことができる。
【００４８】
また、本発明の実施例に係るコネクタ１は、一対のガイド溝５０、５０が溝幅小区間Ｌ２での溝幅が一対のガイド突起２０、２０の厚さよりも僅かに大きい幅であるので、一対のガイド突起２０、２０が各ガイド溝５０の上側ガイド内縁面５２と下側ガイド内縁面５３との間に挟まれた状態になっている。このため、本発明の実施例に係るコネクタ１は、端子１０を係止完了位置でより安定的に保持することができる。
（変形例）
【００４９】
次に、図８を用いて、本発明の実施例に係る端子１０の変形例について説明する。
図８は、変形例の端子１７を説明するための図ある。
この変形例の端子１７は、一対のガイド突起２３、２３の下面の先端部分がＲ状に形成されている点で、実施例の端子１０と異なる。
なお、その他の構成は実施例と同様であり、実施例と同一構成部分には同一符号を付しその説明を省略している。
【００５０】
この変形例の端子１０は、一対のガイド突起２３、２３の下側被ガイド面２４の先端部分２４ａがＲ状に形成されているので、一対のガイド溝５０、５０のガイド傾斜面５３ａになめらかに摺接されながら溝幅大区間Ｌ１から溝幅小区間Ｌ２に移動することができる。
【００５１】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００５２】
１              コネクタ
１０、１７      端子
１１            相手端子接続部
１２            底壁
１２ａ          弾性接触片
１２ｂ          切欠き部
１２ｂｂ        内縁面
１２ｃ          係止突起
１２ｃｃ        後端面
１２ｄ          相手端子挿入口
１３            側壁
１４            天井壁
１４ａ          外面（一面）
１５            電線接続部
１６            連結部
２０、２３      ガイド突起
２１            上側被ガイド面
２２、２４      下側被ガイド面
２４ａ          先端部分
３０            コネクタハウジング
４０            端子収容部
４１            端子収容室
４１ａ          端子挿入口
４１ｂ          相手端子挿入口
４１ｃ、４１ｄ  内壁面
４１ｅ          内壁面（対向内壁面）
４２            弾性係止片
５０            ガイド溝
５１            溝底面
５２            上側ガイド内縁面
５３            下側ガイド内縁面
５３ａ          ガイド傾斜面
６０            フード部
６１            嵌合ロック部
７０            スペーサ
８０            シールリング
９０            端子付き電線
Ｃ              相手端子
Ｗ              電線
Ｐ              ゴム栓
Ｌ１            溝幅が大きい区間
Ｌ２            溝幅が小さい区間
【図１】
2019023959.tif 000003
【図２】
2019023959.tif 000004
【図３】
2019023959.tif 000005
【図４】
2019023959.tif 000006
【図５】
2019023959.tif 000007
【図６】
2019023959.tif 000008
【図７】
2019023959.tif 000009
【図８】
2019023959.tif 000010